(57)【要約】【課題】広範囲の検査を迅速かつ容易に行うことができ、しかも検査漏れの少ない放射線漏洩検査方法および放射線漏洩検査システムを提供する。【解決手段】放射線遮蔽工事が施された放射線診療室Ａ内に検査用のＸ線を発生させるＸ線発生装置２を配置してＸ線を発生させる。そして、壁Ｗを挟んで反対側に形成された面を検査面Ｗｅとして、この検査面Ｗｅに対し、ラインセンサカメラ３を移動させながら検査面Ｗｅを走査し、当該検査面Ｗｅの透過Ｘ線画像を表示装置４に表示させることにより、当該検査面ＷｅにおけるＸ線遮蔽工事の不良箇所の位置を表示装置４で目視確認する。【選択図】  図１
2018205058.tif 000002
【特許請求の範囲】
【請求項１】
放射線遮蔽工事の施工状態を確認する放射線漏洩検査方法であって、
放射線遮蔽工事が施された室内に検査用の放射線を発生させる放射線発生装置を配置し、
前記放射線発生装置と放射線遮蔽材を挟んで反対側の面を検査面として、この検査面に対し、ラインセンサカメラを移動させながら前記検査面を走査し、
前記検査面の透過放射線画像を表示装置に表示させることにより、前記検査面における放射線遮蔽工事の不良箇所の位置を前記表示装置に目視確認可能に表示させる
ことを特徴とする放射線漏洩検査方法。
【請求項２】
前記検査面は、壁面、床面、天井面、建具面のいずれかであることを特徴とする請求項１に記載の放射線漏洩検査方法。
【請求項３】
前記ラインセンサカメラによる走査を前記検査面の全面に対して行い、前記表示装置に前記検査面の全面についての透過放射線画像を表示させることを特徴とする請求項１または２に記載の放射線漏洩検査方法。
【請求項４】
請求項１に記載の放射線漏洩検査方法を実施するための放射漏洩検査システムであって、
可搬式の放射線発生装置と、可搬式のラインセンサカメラと、前記ラインセンサカメラで撮影した透過放射線のデータに基づいて前記検査面の全面または所定範囲の透過放射線画像を表示する表示装置とを備えたことを特徴とする放射線漏洩検査システム。
【請求項５】
前記ラインセンサカメラは、片手保持可能な把持部を備えていることを特徴とする請求項４に記載の放射線漏洩検査システム。
【請求項６】
前記ラインセンサカメラは、当該ラインセンサカメラのセンシング領域を上下および／または左右に移動可能な搬送手段に固定されることを特徴とする請求項４に記載の放射線漏洩検査システム。
【発明の詳細な説明】
【技術分野】
【０００１】
この発明は、放射線漏洩検査方法および放射線漏洩検査システムに関し、より詳細には、放射線遮蔽工事における放射線漏洩の有無を確認・検査するための検査技術に関する。
【背景技術】
【０００２】
従来、病院などの医療機関ではＸ線などの放射線を利用した検査・治療が行われている。このような放射線を利用した検査・治療が行われる放射線診療室は、周囲の部屋（廊下や上下のフロアを含む）に放射線が漏洩しないように、壁、床、天井、扉などの仕切の内部に放射線を遮蔽する遮蔽材（たとえば、鉛板）を配設する放射線遮蔽工事を行っている。
【０００３】
そして、この種の放射線遮蔽工事は、その施工後に放射線漏洩の有無を確認する放射線漏洩検査が行われる。
【０００４】
従来、この放射線漏洩検査は、放射線診療室内に放射線（たとえば、Ｘ線）を発生させる放射線発生装置を配置するとともに、当該放射線診療室と壁、床、天井、扉などの仕切を透過する放射線量をサーベイメータなどの測定器を用いて測定している。たとえば、放射線診療室と壁を隔てて隣接する部屋での検査は、放射線遮蔽材が配設された壁面に沿ってサーベイメータを移動させながら、サーベイメータの測定値を監視し、当該測定値が所定値（放射線漏洩の有無を判定する基準値）を超えるか否かを作業員が確認・判断していた。
【０００５】
しかし、このような方法は、常に作業員が測定値を確認しなければならず作業が煩雑である。
【０００６】
また、放射線遮蔽材の施工不良のなかには、たとえば、配線工事などによって予期しない穴が放射線遮蔽材に穿設されるような場合があり、このような局所的な施工不良の場合、測定器で放射線漏洩を発見するのが困難であった。すなわち、放射線発生装置から放射されるる放射線（散乱線を含む）は直進性が高いことから、放射線遮蔽材に局所的な穴が空いている場合には、当該穴に対面する位置でなければ放射線の漏洩を検出できない。そのため、測定器を移動させながらの検査では、検査漏れが発生するおそれがあった。
【０００７】
そこで、出願人は、図４に示す検査装置ａを用いた検査方法を提案している（特許文献１参照）。この検査方法では、検査装置ａとして、車輪ｃを備えた筐体ｄに、複数の放射線測定器（たとえば、サーベイメータ）ｂ，ｂ，…を一列に配置した検査装置ａを用いる。
【０００８】
検査にあたっては、放射線診療室内に放射線発生装置を配置するとともに、放射線遮蔽材を挟んで放射線診療室と隣接する部屋の壁面に放射線測定器ｂ，ｂ，…を対面させて検査装置ａを配置し、当該検査装置ａを壁面に沿って移動させながら壁を通過する透過放射線（放射線漏洩）の有無を検査する。
【先行技術文献】
【特許文献】
【０００９】
【特許文献１】特開２０１５−１０２４８０号公報
【発明の概要】
【発明が解決しようとする課題】
【００１０】
しかしながら、このような放射線漏洩検査方法には以下の問題があり、その改善が必要であった。
【００１１】
図４に示す検査装置ａを用いた検査方法は、検査装置ａを壁面に沿って移動させるだけで壁面全体の検査、すなわち、単一のサーベイメータによる局所的な検査ではカバーできない広範囲の検査を迅速かつ容易に行うことができるという利点があるものの、装置の構造上、放射線測定器ｂ，ｂ同士の間に隙間が生じることから、検査漏れの可能性を完全に払しょくすることができないという問題がある。
【００１２】
本発明は、このような問題点に鑑みてなされたものであって、その目的とするところは、広範囲の検査を迅速かつ容易に行うことができ、しかも検査漏れの少ない放射線漏洩検査方法および放射線漏洩検査システムを提供することにある。
【課題を解決するための手段】
【００１３】
上記目的を達成するため、本発明に係る放射線漏洩検査方法は、放射線遮蔽工事の施工状態を確認する放射線漏洩検査方法であって、放射線遮蔽工事が施された室内に検査用の放射線を発生させる放射線発生装置を配置し、上記放射線発生装置と放射線遮蔽材を挟んで反対側の面を検査面として、この検査面に対し、ラインセンサカメラを移動させながら上記検査面を走査し、上記検査面の透過放射線画像を表示装置に表示させることにより、上記検査面における放射線遮蔽工事の不良箇所の位置を上記表示装置に目視確認可能に表示させることを特徴とする。
【００１４】
そして、その好適な実施態様として、上記検査面は、壁面、床面、天井面、建具面のいずれかであることを特徴とする。
【００１５】
また、他の好適な実施態様として、上記ラインセンサカメラによる走査を上記検査面の全面に対して行い、上記表示装置に上記検査面の全面についての透過放射線画像を表示させることを特徴とする。
【００１６】
すなわち、本発明に係る放射線漏洩検査方法によれば、放射線遮蔽工事に不良箇所があると、当該不良箇所をラインセンサカメラが走査することによって、表示装置の画面上に不良箇所を透過した放射線の画像が表示される。したがって、検査を行う作業員は、表示装置の画面上で放射線の透過を示す箇所の有無を調べることによって、放射線遮蔽工事に不良箇所がないかを容易に確認することができる。
【００１７】
また、本発明に係る放射線漏洩検査システムは、上記放射線漏洩検査方法を実施するための放射線漏洩検査システムであって、可搬式の放射線発生装置と、可搬式のラインセンサカメラと、上記ラインセンサカメラで撮影した透過放射線のデータに基づいて上記検査面の全面または所定範囲の透過放射線画像を表示する表示装置とを備えたことを特徴とする。
【００１８】
そして、その好適な実施態様として、上記ラインセンサカメラは、片手保持可能な把持部を備えていることを特徴とする。
【００１９】
また、他の好適な実施態様として、上記ラインセンサカメラは、当該ラインセンサカメラのセンシング領域を上下および／または左右に移動可能な搬送手段に固定されることを特徴とする。
【発明の効果】
【００２０】
本発明によれば、放射線遮蔽工事に不良箇所があると、表示装置の画面上に当該不良箇所を透過した放射線の画像が表示されるので、検査を行う作業員は、表示装置の画面上で放射線の透過を示す箇所の有無を調べることによって、放射線遮蔽工事に不良箇所がないかを容易に確認することができる。
【００２１】
また、ラインセンサカメラを移動させることにより検査が行われるので、一定の幅（ラインセンサカメラのセンシング幅）を有する面に対して、漏れなく検査を行うことができ、検査漏れの発生を防ぐことが可能になる。
【図面の簡単な説明】
【００２２】
【図１】本発明に係る放射線漏洩検査システムの概略構成を示す説明図である。
【図２】同放射線漏洩検査システムにおけるＸ線発生装置の配置例を示す平面図である。
【図３】同放射線漏洩検査システムによる壁面の走査手順の一例を示す説明図である。
【図４】従来の放射線漏洩検査用の検査装置の説明図である。
【発明を実施するための形態】
【００２３】
以下、本発明の実施形態を図面に基づいて詳細に説明する。
実施形態１
図１は、本発明に係る放射線漏洩検査システムの概略構成を示している。図１は、Ｘ線漏洩検査を行うＸ線漏洩検査システム１を示しており、図示のように、Ｘ線発生装置（放射線発生装置）２と、ラインセンサカメラ３と、表示装置４とを主要部として構成されている。
【００２４】
Ｘ線発生装置２は、可搬式の小型のＸ線発生装置で構成される。このＸ線発生装置２は、図示しないＸ線発生部が鉛板などのＸ線遮蔽材で構成されたカバーによって囲繞されるとともに、当該カバーの特定位置に開口部が設けられた構造とされており、当該開口部からＸ線が外部に照射されるようになっている。そして、照射面にファントームが配置されることによって、当該Ｘ線発生装置２が配置される室内全面に散乱Ｘ線が発生するようになっている。
【００２５】
ラインセンサカメラ３は、Ｘ線の透過量を画像データ化するための装置であって、周知のとおり、複数の受光素子を備えたセンサ本体５と、このセンサ本体５に電力を供給する電源装置（図示せず）と、センサ本体５で取得した画像データを表示装置４に供給するインターフェースケーブル６とを主要部として構成されている。
【００２６】
センサ本体５は、複数の受光素子（たとえば、シンチレータ、半導体、ＣＣＤなど）を一次元の線上に一列に配置してなるもので、略箱型の筐体内に上記受光素子を当該筐体の外側に向けて配置することによって構成されており、受光素子の配列方向を長手方向とする横長形状を呈している。そして、このセンサ本体５は、透過Ｘ線量に応じた画像データ、たとえば、Ｘ線透過量に応じた濃淡の画像データを上記インターフェースケーブル６を介して出力するように構成されている。
【００２７】
本実施形態では、このセンサ本体５は、作業員が持ち運び可能な可搬式の装置で構成されており、少なくとも作業員が両手または片手で保持・取り扱いが可能な大きさで構成されている。具体的には、センサ本体５の長手方向の寸法は、数十乃至数百ｃｍ程度、好ましくは片手で取り扱い可能な数十ｃｍ程度（たとえば、５０ｃｍ程度）で構成されている。
【００２８】
なお、このセンサ本体５としては、たとえば、異物混入の有無の検査（Ｘ線非破壊検査）に用いられる市販のＸ線ラインセンサが好適に用いられる。このように市販のＸ線ラインセンサを用いることによって、本発明に係るＸ線漏洩検査システム１を安価に提供することが可能となる。
【００２９】
また、このセンサ本体５には、作業員がセンサ本体５を両手または片手で保持するための把持部（図示せず）が備えられる。この把持部は、センサ本体５の受光素子を壁面や天井面、床面などに対面させた状態で、当該センサ本体５をこれら壁面などに沿って移動させ易くするために設けられた部位であって、たとえば、センサ本体５にハンドル（取っ手）を設けることによって構成される。なお、センサ本体５自体が両手または片手で把持容易な大きさ・形状である場合には、この把持部を省略することも勿論可能である。図１では、この把持部を省略したタイプのセンサ本体５を示している。
【００３０】
電源装置は、センサ本体５に直流電力を供給するための装置であって、図示しない商用電源から得られる交流電力を直流電力に変換して上記センサ本体５に供給するように構成されている。すなわち、この電源装置はＡＣ／ＤＣコンバータを備えて構成されている。
【００３１】
インターフェースケーブル６は、センサ本体５から出力される画像データを表示装置４に供給するためのケーブルである。センサ本体５から出力される画像データはこのインターフェースケーブル６を介して表示装置４に入力される。
【００３２】
表示装置４は、センサ本体５から出力される画像データから透過Ｘ線量を示す画像を表示するための装置であって、この表示装置４として、可搬式の表示装置、具体的には、画像を表示する表示部を備えたパーソナルコンピュータ（たとえば、ラップトップ式のコンピュータ）や携帯情報端末（たとえば、タブレット式の端末装置）などが用いられる。
【００３３】
本実施形態では、この表示装置４として、ラップトップ式のコンピュータを用いている。このラップトップ式のコンピュータには、液晶パネルなどで構成された表示部に画像データを表示させるための画像入出力ボードを備えており、インターフェースケーブル６を介して供給される画像データは、この画像入出力ボードを介して表示部に表示される。なお、この表示にあたっては、たとえば、透過Ｘ線量に応じた濃淡の画像（たとえば、透過Ｘ線量の多い部分は淡く、透過Ｘ線量の少ない部分は濃く表示された画像）が表示される。
【００３４】
次に、このように構成されたＸ線漏洩検査システム１を用いたＸ線漏洩検査の手順について図２および図３に基づいて説明する。
【００３５】
本発明に係るＸ線漏洩検査は、Ｘ線遮蔽工事が施された部屋の周囲の部屋（廊下や上下のフロアを含む）において実施される。図２は、Ｘ線遮蔽工事が施されたＸ線診療室Ａの隣室ＢにおいてＸ線漏洩検査を実施する場合を図示しており、この場合、Ｘ線診療室Ａと隣室Ｂとを仕切る壁Ｗに対してＸ線漏洩検査が行われる。
【００３６】
Ｘ線漏洩検査にあたっては、まず、Ｘ線診療室ＡにＸ線発生装置２を配置する。Ｘ線発生装置２は、たとえば、Ｘ線診療室Ａの中央付近またはＸ線を発生させる診療機器の配設予定位置に配置するとともにファントームを配置して、Ｘ線の照射を開始する。これにより、Ｘ線診療室Ａ内の壁、床、天井など、Ｘ線診療室Ａの室内全体に、図２の鎖線で示すようにＸ線（散乱Ｘ線を含む）が照射される。
【００３７】
そして、Ｘ線診療室ＡでのＸ線照射を行いながら、Ｘ線漏洩検査を実施する隣室Ｂでは、Ｘ線発生装置２と放射線遮蔽材（Ｘ線遮蔽工事が施された壁Ｗ）を挟んで反対側の面（つまり、Ｘ線診療室Ａ側の面）を検査面Ｗｅとして、この検査面Ｗｅに対し、ラインセンサカメラ３を移動させながら検査面Ｗｅの走査を行う。
【００３８】
具体的には、検査面Ｗｅの走査は、作業員がラインセンサカメラ３のセンサ本体５を把持し、当該センサ本体５の受光素子を検査面Ｗｅに対面させた状態で、センサ本体５を検査面Ｗｅに沿って移動させることによって行う。
【００３９】
図３は、この走査の手順の一例を示している。たとえば、図３（ａ）に示すように、検査面Ｗｅに対して、センサ本体５を上下（垂直）方向（図示例では検査面Ｗｅの上端から下端）に移動させて縦一列の走査を行う。そして、この縦一列の走査が完了すると、次に隣の列に移動して再び上下方向の走査を再う。以後、この手順を繰り返し行うことによって検査面Ｗｅの全面に対してラインセンサカメラ３による走査を行う。すなわち、検査面Ｗｅの右端あるいは左端から順に上下方向の走査を行って検査面Ｗｅの全面に対する走査を行う。
【００４０】
図３（ｂ）は、この走査を左右（水平）方向（図示例では検査面Ｗｅの右端から左端）で行った場合を示しており、この場合も上述した上下方向の走査と同様の手法、すなわち、センサ本体５を左右方向（図示例では検査面Ｗｅの右端から左端）に移動させて横一列の走査を行うことによって、検査面Ｗｅの全面に対する走査を行うことができる。
【００４１】
このようにして、検査面Ｗｅに対してラインセンサカメラ３による走査が行われると、走査中に受光素子で受光したＸ線（壁Ｗを透過したＸ線）の画像データがセンサ本体５から表示装置４に入力され、表示装置４において透過Ｘ線量に応じた画像が表示される。すなわち、本実施形態では、透過Ｘ線量に応じた濃淡の画像が表示装置４の表示部に表示される。
【００４２】
なお、表示装置４への透過Ｘ線量に応じた画像の表示は、ラインセンサカメラ３による上下または左右の走査に伴って表示装置４側が取得した画像データを逐次表示部に表示するように構成されており、上下または左右の走査がすべて終了した場合、表示部には検査面Ｗｅの全面の透過Ｘ線量の画像が表示されるようになっている。なお、この表示に関しては、走査した上下または左右の一列のみ表示を行うなど範囲を限定した表示に変更することも可能である。
【００４３】
このように本発明に係るＸ線漏洩検査によれば、検査面Ｗｅとなる壁Ｗの内部に配設されたＸ線遮蔽材に穴や接合不良などの施工不良（Ｘ線が透過する箇所）があると、表示装置４の表示部には、当該Ｘ線透過箇所が目視確認可能に表示されるので、作業員は、Ｘ線遮蔽工事に不良箇所がないかを容易に確認することができる。
【００４４】
しかも、本発明では、Ｘ線漏洩検査がラインセンサカメラ３を検査面Ｗｅに沿って上下または左右に移動させることによって行われるので、上下または左右の一列の走査によって、一定の幅（ラインセンサカメラのセンシング幅）を有する面に対して、Ｘ線漏洩の有無について漏れなく検査を行うことができる。
【００４５】
また、本発明に係るＸ線漏洩検査では、Ｘ線透過の有無が画像（本実施形態では、透過Ｘ線量に応じた濃淡の画像）によって確認できるので、わずかなＸ線の透過量でも画像として容易に発見・確認することができる。したがって、Ｘ線遮蔽材に極小な穴が空いている場合でもその発見が容易かつ確実に行える一方、Ｘ線発生装置２で発生させるＸ線の線量として少ない線量でＸ線漏洩検査を行うことができる。特に、Ｘ線発生装置２の出力線量を少なくできることにより、Ｘ線発生装置２の出力線量として、一般に人体に影響が殆どない線量でＸ線漏洩検査を行うことができ、検査中における作業員やＸ線診療室の周囲の部屋に居る人の被ばくを回避することができる。
【００４６】
実施形態２
次に、本発明の第２の実施形態について説明する。
この第２の実施形態では、ラインセンサカメラ３は、当該ラインセンサカメラ３のセンシング領域を上下（垂直方向）および／または左右（水平方向）に移動させることが可能な図示しない搬送台（搬送手段）に固定して用いられる。
【００４７】
たとえば、上記搬送台としては、ラインセンサカメラ３を昇降させる昇降手段（図示せず）を備えた台車を用いることができる。この場合、台車を水平方向に移動させることでラインセンサカメラ３を検査面Ｗｅに対して左右に移動させることができるとともに、昇降手段を昇降させることによってラインセンサカメラ３を上下に移動させることができる。
【００４８】
これにより、作業員は、ラインセンサカメラ３を把持して走査する場合に比して、検査面Ｗｅの走査を、より容易に、かつ、漏れがなく確実に走査することができるようになる。
【００４９】
なお、上述した実施形態はあくまでも本発明の好適な実施態様を示すものであって、本発明はこれらに限定されることなくその範囲内で種々の設計変更が可能である。
【００５０】
たとえば、上述した実施形態では、Ｘ線の漏洩検査に本発明を適用した場合を示したが、Ｘ線以外の放射線（たとば、ガンマ線）の漏洩検査にも本発明は適用可能である。すなわち、ガンマ線の漏洩検査にあたっては、放射線発生装置としてガンマ線の発生源を用い、また、ガンマ線をセンシング可能なラインセンサカメラ３を用いることで、ガンマ線の漏洩検査を行うことができる。
【００５１】
また、上述した実施形態では、Ｘ線漏洩検査をＸ線診療室Ａの隣室Ｂで行う場合を示したが、Ｘ線診療室Ａの上階または下階の部屋でもＸ線漏洩検査を行うことができる。すなわち、Ｘ線診療室Ａの上階でＸ線漏洩検査を行う場合は、上階の床面を検査面Ｗｅとしてラインセンサカメラ３による走査を行う。また、Ｘ線診療室Ａの下階でＸ線漏洩検査を行う場合には、下階の天井面を検査面Ｗｅとしてラインセンサカメラ３による走査を行う。さらには、扉などの建具を挟んだ反対側の建具面についても同様にラインセンサカメラ３による走査を行う。
【００５２】
また、上述した実施形態では、Ｘ線漏洩検査にあたり、検査面Ｗｅの全面に対してラインセンサカメラ３による走査を行った場合を示したが、検査面Ｗｅの一部（所定範囲）について検査を行うことも可能である。すなわち、この場合、Ｘ線漏洩検査を行う箇所についてのみラインセンサカメラ３による走査を行うことで、表示装置に上記所定範囲の透過Ｘ線画像を表示することで、範囲を限定した部分的なＸ線漏洩検査を実施することができる。
【００５３】
さらに、上述した実施形態では、表示装置４に表示させる透過Ｘ線量の画像として、透過Ｘ線量に応じた濃淡の画像を用いた場合を示したが、透過Ｘ線量に応じて表示する色を変更するなど、他の表示態様を採用することも勿論可能である。
【００５４】
また、上述した実施形態では、１台のラインセンサカメラ３を用いてＸ線漏洩検査を行う場合を示したが、複数台のラインセンサカメラ３，３，…を用いてＸ線漏洩検査を行うことも可能である。すなわち、この場合、各ラインセンサカメラ３，３，…のインターフェースケーブル６，６，…を表示装置４に接続するとともに、ラインセンサカメラ３，３，…同士のセンシング領域に隙間（センシング漏れ）が生じないようにラインセンサカメラ３を一列に並べて配置した状態で、検査面Ｗｅに対して、上下または左右方向の走査を実施する。これにより、１台のラインセンサカメラ３で検査を行う場合よりも効率良くＸ線漏洩検査を実施することができる。
【符号の説明】
【００５５】
１            Ｘ線漏洩検査システム（放射線漏洩検査システム）
２            Ｘ線発生装置（放射線発生装置）
３            ラインセンサカメラ
４            表示装置
５            センサ本体
６            インターフェースケーブル
Ｗ            Ｘ線遮蔽工事が施された壁
Ｗｅ          検査面
【図１】
2018205058.tif 000003
【図２】
2018205058.tif 000004
【図３】
2018205058.tif 000005
【図４】
2018205058.tif 000006